(57)【特許請求の範囲】
【請求項１】
帯電体内部に、前記帯電体を形成する材料より帯電順位が負側に位置する材料で形成し放電部を有する回転体を設け、前記帯電体内部にて前記回転体を回転させ、前記帯電体と前記回転体を摩擦させることで、前記回転体を負に帯電させ、前記回転体に発生した負の電荷を前記放電部を通じて空中に放電させるマイナスイオン発生装置。
【請求項２】
帯電体内部に、前記帯電体を形成する材料より帯電順位が正側に位置する材料で形成した回転体を設け、前記帯電体内部にて前記回転体を回転させ、前記帯電体と前記回転体を摩擦させることで、前記帯電体を負に帯電させ、前記帯電体に発生した負の電荷を前記帯電体の外壁もしくは内壁に設けた放電部を通じて空中に放電させるマイナスイオン発生装置。
【請求項３】
放電部を起毛布で形成した請求項１または２記載のマイナスイオン発生装置。
【請求項４】
放電部を不織布で形成した請求項１または２記載のマイナスイオン発生装置。
【請求項５】
放電部を植毛した繊維で形成した請求項１または２記載のマイナスイオン発生装置。
【請求項６】
帯電体内部に、外壁に静電気発生部と内壁に静電気を空中に放電するための放電部を有する回転体を設け、前記帯電体内部にて前記回転体を回転させ、前記帯電体と前記回転体を摩擦させることで、前記回転体に発生した負の電荷を前記放電部を通じて空中に放電させるマイナスイオン発生装置。
【請求項７】
静電気発生部および放電部を繊維とした請求項６記載のマイナスイオン発生装置。
【請求項８】
回転体の静電気発生用繊維、放電電極用繊維の片方もしくは両方を起毛布で形成した請求項７記載のマイナスイオン発生装置。
【請求項９】
回転体の静電気発生用繊維、放電電極用繊維の片方もしくは両方を不織布で形成した請求項７記載のマイナスイオン発生装置。
【請求項１０】
回転体の静電気発生用繊維、放電電極用繊維の片方もしくは両方を植毛した繊維で形成した請求項７記載のマイナスイオン発生装置。
【請求項１１】
帯電体内部に、突出代の異なるブラシ群から構成させるブラシ部を有
する回転体を設け、前記帯電体内部にて前記回転体を回転させ、前記帯電体と突出代の大きい方のブラシ群を摩擦させることで、前記ブラシ部に発生した負の電荷を前記突出代の小さい方のブラシ群を通じて空中に放電させるマイナスイオン発生装置。
【発明の詳細な説明】
【０００１】
【発明の属する技術分野】
本発明は人体に緊張緩和等の有用な効果を有するマイナスイオンを簡易的に発生させるマイナスイオン発生装置に関するものである。
【０００２】
【従来の技術】
従来のマイナスイオン発生装置は、特開２００１−３３８７４４公報のように、高電圧回路により発生させた高電圧を離れた電極間に引火し、その空気層を介した電極間の放電か、電極間の絶縁体表面上での放電により空気中に負の電荷である電子を放出させて空気中の水分等を負に帯電させるか、あるいは金や白金表面に紫外線を照射し、金属中の電子を空気中にたたき出すことによって同じく空気中の水分等を負に帯電させてマイナスイオンを発生させていた。
【０００３】
【発明が解決しようとする課題】
しかしながら上記従来のマイナスイオン発生装置は、放電方式の場合、マイナスイオン発生と同時に有害なオゾンも副産物として発生してしまったり、放電のために高圧回路を使用するため、その高電圧により感電や火災の危険を伴ったりしていた。また、紫外線照射方式の場合、使用する紫外線は人体に有害であるため、直接人体、特に眼に照射されないように配慮が必要であった。
【０００４】
本発明は、上記課題を解決し、安全かつ非常に簡単な機構で、人体にリラックス効果を与えるマイナスイオンを容易に且つ多量に連続的に発生させることができる装置を提供することを目的とする。
【０００５】
【課題を解決するための手段】
上記の課題を解決するために本発明は、帯電体内部に、前記帯電体を形成する材料より帯電順位が負側に位置する材料で形成し放電部を有する回転体を設け、前記帯電体内部にて前記回転体を回転させ、前記帯電体と前記回転体を摩擦させることで、前記回転体を負に帯電させ、前記回転体に発生した負の電荷を前記放電部を通じて空中に放電させるマイナスイオン発生装置で、容易に多量の静電気を発生させることができ、それにより容易に多量のマイナスイオンを発生させることができる。また、発生したマイナスイオンは、前記回転体によって生じる空気流とともに帯電体外へと容易に放出できる。
【０００６】
【発明の実施の形態】
本発明の請求項１記載の発明は、帯電体内部に、前記帯電体を形成する材料より帯電順位が負側に位置する材料で形成し放電部を有する回転体を設け、前記帯電体内部にて前記回転体を回転させ、前記帯電体と前記回転体を摩擦させることで、前記回転体を負に帯電させ、前記回転体に発生した負の電荷を前記放電部を通じて空中に放電させるマイナスイオン発生装置で、容易に多量の静電気を発生させることができ、それにより容易に多量のマイナスイオンを発生させることができる。また、発生したマイナスイオンは、前記回転体によって生じる空気流とともに帯電体外へと容易に放出できる。
【０００７】
本発明の請求項２記載の発明は、帯電体内部に、前記帯電体を形成する材料より帯電順位が正側に位置する材料で形成した回転体を設け、前記帯電体内部にて前記回転体を回転させ、前記帯電体と前記回転体を摩擦させることで、前記帯電体を負に帯電させ、前記帯電体に発生した負の電荷を前記帯電体の外壁に設けた放電部を通じて空中に放電させるマイナスイオン発生装置で、空気中の水分等を負に帯電させてマイナスイオンを容易に且つ大量に発生させることができる。
【０００８】
本発明の請求項３記載の発明は、放電部を起毛布で形成した請求項１または２記載のマイナスイオン発生装置で、起毛布の繊維１本１本が放電電極となり、多数の放電電極を容易に形成できるため、容易に放電効率およびマイナスイオン発生効率を高めることができる。
【０００９】
本発明の請求項４記載の発明は、放電部を不織布で形成した請求項１または２記載のマイナスイオン発生装置で、不織布を形成する繊維の繊維端が放電電極となるため、容易に放電効率およびマイナスイオン発生効率を高めることができる。
【００１０】
本発明の請求項５記載の発明は、放電部を植毛した繊維で形成した請求項１または２記載のマイナスイオン発生装置で、容易に多量の放電電極を形成でき、放電効率およびマイナスイオン発生効率を高めることができる。
【００１１】
本発明の請求項６記載の発明は、帯電体内部に、外壁に静電気発生部と内壁に静電気を空中に放電するための放電部を有する回転体を設け、前記帯電体内部にて前記回転体を回転させ、前記帯電体と前記回転体を摩擦させることで、前記回転体に発生した負の電荷を前記放電部を通じて空中に放電させるマイナスイオン発生装置で、容易に多量の静電気を発生させることができ、それにより容易に多量のマイナスイオンを発生させることができる。また、発生したマイナスイオンは、前記回転体によって生じる空気流とともに帯電体外へと容易に放出できる。
【００１２】
本発明の請求項７記載の発明は、静電気発生部および放電部を繊維とした請求項６記載のマイナスイオン発生装置で、繊維１本１本が放電電極となり、多数の放電電極を容易に形成できるため、容易に放電効率およびマイナスイオン発生効率を高めることができる。
【００１３】
本発明の請求項８記載の発明は、回転体の静電気発生用繊維、放電電極用繊維の片方もしくは両方を起毛布で形成した請求項７記載のマイナスイオン発生装置で、起毛布の繊維１本１本が放電電極となり、多数の放電電極を容易に形成できるため、容易に放電効率およびマイナスイオン発生効率を高めることができる。
【００１４】
本発明の請求項９記載の発明は、回転体の静電気発生用繊維、放電電極用繊維の片方もしくは両方を不織布で形成した請求項７記載のマイナスイオン発生装置で、不織布を形成する繊維の繊維端が放電電極となるため、容易に放電効率およびマイナスイオン発生効率を高めることができる。
【００１５】
本発明の請求項１０記載の発明は、回転体の静電気発生用繊維、放電電極用繊維の片方もしくは両方を植毛した繊維で形成した請求項７記載のマイナスイオン発生装置で、容易に多量の放電電極を形成でき、放電効率およびマイナスイオン発生効率を高めることができる。
【００１６】
本発明の請求項１１の発明は、帯電体内部に、突出代の異なるブラシ群から構成させるブラシ部を有する回転体を設け、前記帯電体内部にて前記回転体を回転させ、前記帯電体と突出代の大きい方のブラシ群を摩擦させることで、前記ブラシ部に発生した負の電荷を前記突出代の小さい方のブラシ群を通じて空中に放電させるマイナスイオン発生装置で、帯電体と回転体の静電気発生用の繊維の摩擦により発生した静電気は、突出代の小さい方のブラシ群を放電電極として空中に放電され、空気中の水分等を負に帯電させてマイナスイオンを発生させる。また、発生したマイナスイオンは、前記回転体によって生じる空気流とともに帯電体外へと容易に放出できる。
【００１７】
【実施例】
（実施例１）
以下、本発明の第１の実施例について図１〜図５を用いて説明する。
【００１８】
図１において、略円筒状の帯電体１内に、モータ２によって回転される複数の放射状部を有する回転体３が設けられ、前記放射状部の端部が帯電体１内壁に接触するように設けられている。モータ２によって前記回転体３が回転すると、その端部が帯電体１内壁と擦れ合い静電気が発生する。発生する静電気は、帯電体１の内壁と回転体３が擦れ合い続けることによりその電位が上昇し、ついには空気中に前記回転体３に設けられた複数の突起状の放電電極３ａより放電される。その放電される電荷が負の部分で空気中の水分等が負に帯電しマイナスイオンとなる。また、ファン８により回転体３内に空気流を流すことにより発生するマイナスイオンを回転体３外へ容易に放出することができる。帯電体１を例えばナイロン樹脂で構成する場合は、回転体３を帯電体１より帯電順位が負極側の材質例えば塩化ビニルや塩化ビニリデン、ポリエチレンで構成する。そうすることにより、帯電体１は正の電荷が蓄積される正帯電部材となり、回転体３は負の電荷が蓄積される負帯電部材となる。
【００１９】
以下、回転体３について以下に述べる。
【００２０】
図２において、帯電体１の内壁と回転体３の摩擦によって発生した静電気は、静電気発生部分の負に帯電する部分に放電用の針状もしくは繊維状電極４を複数設けたことにより、静電気の帯電電位がより低い電圧での容易に放電することが可能となり、マイナスイオン発生効率が高まる。
【００２１】
図３のように、帯電体１もしくは回転体３の負極の静電気がたまる部分に設ける針状もしくは繊維状電極４を起毛布５で形成したことで、起毛布５の繊維１本１本が放電電極となり多数の放電電極を容易に形成できるため、容易に放電効率およびマイナスイオン発生効率を高めることが出来る。帯電体１が例えばナイロン樹脂で構成される場合、回転体３を帯電体１より帯電順位が負極側の材質例えば塩化ビニルや塩化ビニリデン、ポリエチレンで構成する起毛布５で形成したことにより単純に回転体３の起毛布５の端部を帯電体１内壁に接触させるように回転させるだけで回転体３の起毛布５に負極の静電気が発生し、所定の電位に達すると起毛布５の繊維端で構成される放電電極より空中に負の電荷が放出され空気中の水分等を負に帯電させてマイナスイオンを発生させる。さらに回転体３の構成材料を体積固有抵抗値１０１０Ωｃｍの物にすることにより発生する負の電荷が他の部分へ逃げにくくなるため、回転体３の電位は容易に上昇し帯電電荷量が少なくても十分放電電位に達することができるようになる。
【００２２】
また、図４のように、帯電体１もしくは回転体３の負極の静電気がたまる部分に設ける針状もしくは繊維状電極４を不織布６で形成したことで、不織布６を形成する繊維の繊維端が放電電極となるため容易に放電効率およびマイナスイオン発生効率を高めることが出来る。例えば、帯電体１をナイロン樹脂で構成する場合、回転体３を塩化ビニルや塩化ビニリデン、ポリエチレン等のナイロン樹脂より帯電順位が負極側にある材質で構成する不織布６で形成したことにより単純に回転体３の不織布６の端部を帯電体１内壁に接触させるように回転させるだけで回転体３の不織布６に負極の静電気が発生し、所定の電位に達すると不織布６の繊維端で構成される放電電極より空中に負の電荷が放出され空気中の水分等を負に帯電させてマイナスイオンを発生させる。
【００２３】
また、図５のように、帯電体１もしくは回転体３の負極の静電気がたまる部分に針状も
しくは繊維状電極４として電気植毛等の方法で直接繊維７を植毛し、その繊維端を放電電極として使用することにより容易に放電効率およびマイナスイオン発生効率を高めることが出来る。
【００２４】
（実施例２）
以下本発明の第２の実施例について図６を用いて説明する。なお上記実施例と同一機構部品については同一記号を用いて説明を省略する。
【００２５】
図６において、帯電体１内に帯電体１の材質より帯電順位が負極側にある材質よりなる繊維を金属撚り線によって固定したブラシ状回転体３を設ける。回転体３のブラシ部１１は長短の毛で構成され外形略円柱状のブラシとなっている。帯電体１内壁にはブラシ部１１の長毛１２のみ接触し短毛１３は接触しない長さとなっている。回転体３を回転させると回転体３のブラシ部１１の長毛１２の端部のみが帯電体１内壁と摩擦しながら回転し、回転体３のブラシ部１１に負極の静電気が発生する。その静電気が所定の電位に達すると、今度はブラシ部１１の短毛１３の毛端で構成される放電電極より空中に負の電荷が放出され空気中の水分等を負に帯電させてマイナスイオンを発生させる。例えば、帯電体１をナイロン樹脂で構成する場合、ブラシ部１１の長毛１２および短毛１３は、塩化ビニルや塩化ビニリデン、ポリエチレン等のナイロン樹脂より帯電順位が負極側にある材質で構成する。
【００２６】
（実施例３）
以下、本発明の第３の実施例について図７〜図１０を用いて説明する。なお上記実施例と同一機構部品については同一記号を用いて説明を省略する。
【００２７】
図７において、略円筒状の帯電体１内部にその帯電体１を構成する材料より帯電順位が正側に位置する材料で構成する回転体１４を設け、前記帯電体１とその回転体１４の摩擦により帯電体１を負に帯電させ、その発生した負の電荷を帯電体１表面に設けた電極１５を通じて空中に放電させることにより空気中の水分等を負に帯電させてマイナスイオンを容易に且つ大量に発生させる。例えば、帯電体１を塩化ビニルや塩化ビニリデン、ポリエチレン等で構成する場合、回転体１４を塩化ビニルや塩化ビニリデン、ポリエチレン等より帯電順位が正側にあるナイロン樹脂等の材質で構成することとなる。
【００２８】
図８のように、帯電体１外壁に直接電極１５となる繊維を、電気植毛により植毛し導電性接着剤１６で固定したことにより、帯電体１に発生する負極の静電気は速やかにそれらの毛に流れ、さらに植毛した毛１本１本が放電電極として働き多量の電荷を短時間に放電できそれにより多量のマイナスイオンを発生できる。
【００２９】
また、図９のように、帯電体１外壁に導電性接着剤１６等で電気的に接続して少なくとも一部に起毛布１７を配して放電電極としたため、帯電体１と回転体１４の摩擦によって帯電体に発生する負極の静電気は、帯電体１外壁から起毛布１７に流れ起毛布１７の繊維１本１本が放電電極として働くために多量の電荷を短時間に放電でき、それにより多量のマイナスイオンを発生できる。
【００３０】
さらに、図１０のように、帯電体１外壁に導電性接着剤等で電気的に接続して少なくとも一部に不織布１８を配して放電電極としたため、帯電体１と回転体１４の摩擦によって帯電体１側に発生する負極の静電気は不織布に流れ不織布を構成する繊維の１本１本が放電電極として働くために多量の電荷を短時間に放電でき、それにより多量のマイナスイオンを発生できる。
【００３１】
（実施例４）
以下本発明の第４の実施例について図１１〜図１４を用いて説明する。なお上記実施例と同一機構部品については同一記号を用いて説明を省略する。
【００３２】
図１１において、帯電体１内に設ける回転体３を略円筒状としその回転体１４の外壁に帯電体１との摩擦により静電気を発生させるための繊維１９、内壁に静電気を空中に放電するための繊維２０を電極として設けたため、帯電体１と回転体１４の静電気発生用の繊維１９の摩擦により発生した静電気は、回転筒内壁の放電用繊維２０を放電電極として空中に放電され、空気中の水分等を負に帯電させてマイナスイオンを発生させる。また、ファン８により回転体１４内に空気流を流すことにより発生するマイナスイオンを回転体１４外へ容易に放出することができる。
【００３３】
図１２のように、回転体１４の静電気発生用繊維１９、放電電極用繊維２０の片方もしくは両方を回転体１４へ直接電気植毛で配したため多量の繊維を高密度に回転筒表面に配することができ、多量の静電気発生と多量のマイナスイオン発生が容易となる。
【００３４】
また、図１３のように、回転体１４の静電気発生用繊維１９、放電電極用繊維２０の片方もしくは両方を回転体への起毛布２１の固定で配したため多量の繊維を高密度に回転筒表面に配することができ、多量の静電気発生と多量のマイナスイオン発生が容易となる。
【００３５】
さらに、図１４のように、回転体１４の静電気発生用繊維１９、放電電極用繊維２０の片方もしくは両方を回転体１４への不織布２２の固定で配したため多量の繊維を高密度に回転筒表面に配することができ、多量の静電気発生と多量のマイナスイオン発生が容易となる。
【００３６】
また、帯電体１から充電部等へ放電経路を設け、帯電体１の正の電荷を発生する部分の材料を体積固有抵抗値１０１０Ωｃｍ以下にすることにより、発生する正の電荷は充電部等へ逐次放電され、その部分の電位は空中放電電位には到達しなくなるため正電荷の空中放電は抑制され、マイナスイオンと相殺するプラスイオン保発生を抑制できる。
【００３７】
【発明の効果】
本発明によれば、安全かつ非常に簡単な機構で、人体にリラックス効果を与えるマイナスイオンを容易に且つ多量に連続的に発生させることができる装置を提供できる。
【図面の簡単な説明】
【図１】  本発明の第１の実施例を示すマイナスイオン発生装置の断面図
【図２】  同他のマイナスイオン発生装置の上面図
【図３】  同マイナスイオン発生装置の回転体が起毛布の場合の一部拡大図
【図４】  同マイナスイオン発生装置の回転体が不織布の場合の一部拡大図
【図５】  同他のマイナスイオン発生装置の上面図
【図６】  （ａ）本発明の第２の実施例を示すマイナスイオン発生装置の上面図
（ｂ）同マイナスイオン発生装置の断面図
【図７】  本発明の第３の実施例を示すマイナスイオン発生装置の上面図
【図８】  同マイナスイオン発生装置の帯電体の部分断面図
【図９】  同他のマイナスイオン発生装置の帯電体の部分断面図
【図１０】  他のマイナスイオン発生装置の帯電体の部分断面図
【図１１】  （ａ）本発明の第３の実施例を示すマイナスイオン発生装置の上面図
（ｂ）同マイナスイオン発生装置の断面図
【図１２】  同マイナスイオン発生装置の回転体の部分断面図
【図１３】  同他のマイナスイオン発生装置の回転体の部分断面図
【図１４】  同他のマイナスイオン発生装置の回転体の部分断面図
【符号の説明】
１  帯電体
２  モータ
３  回転体
３ａ  電極
５  起毛布
６  不織布
７  繊維
８  ファン
【図１】
0004165090.tif 000002
【図２】
0004165090.tif 000003
【図３】
0004165090.tif 000004
【図４】
0004165090.tif 000005
【図５】
0004165090.tif 000006
【図６】
0004165090.tif 000007
【図７】
0004165090.tif 000008
【図８】
0004165090.tif 000009
【図９】
0004165090.tif 000010
【図１０】
0004165090.tif 000011
【図１１】
0004165090.tif 000012
【図１２】
0004165090.tif 000013
【図１３】
0004165090.tif 000014
【図１４】
0004165090.tif 000015